(57)【要約】【課題】複数のバッジホルダーの連結の強化を図る。【解決手段】３個のバッジホルダー１；２１が組み合わせられた場合、各バッジホルダー１；２１の側面７；２７としての斜面と同士が互いに接触し、凸状の嵌合部８；２８と凹状の被嵌合部９；２９とが互いに基盤２；２２の背面から後方に直角となる方向に嵌め込まれ、突起１１；３１と受孔１３；３３とが嵌合部８；２８と被嵌合部９；２９との嵌め込み方向に交差する方向で互いに嵌め込まれることによって、両側の２個のバッジホルダー１；２１に矢印Ｘ１；Ｘ２で示す外力が横方向からしても、突起１１；３１と受孔１３；３３との嵌め合いが嵌合部８；２８と被嵌合部９；２９との嵌め合いに対してかんぬきとして作用し、中央の１個のバッジホルダー２１が前方に押し出されることも外れることもない。【選択図】図１
2009112697.tif 000002
【特許請求の範囲】
【請求項１】
正五角形または正六角形な板状の基盤の正面にはバッジ収容室が正五角形または基盤の正面から内部に正六角形な板状のバッジを収容する窪みとして設けられ、バッジ収容室を正五角形または正六角形に囲む周壁がバッジ収容室に収容される正五角形または正六角形な板状のバッジをバッジの側面から弾性的に支持する支持壁として構成され、基盤の５つまたは６つの側面が当該基盤の正面から背面の方向に行くにしたがって内側に近づく下り勾配となる斜面として構成され、基盤の背面には凸状の嵌合部と凹状の被嵌合部とが基盤の５つまたは６つの側面のそれぞれに対応して基盤の背面から後方に直角に突出するように設けられ、凸状の嵌合部には基盤の背面と平行する方向に突出する突起または基盤の背面と平行する方向に開口する受孔が設けられ、凹状の被嵌合部には上記嵌合部における突起の受け入れ用として基盤の背面と平行する方向に開口する受孔または上記嵌合部における受孔の受け入れ用として基盤の背面と平行する方向に突出する突起が設けられたことを特徴とするバッジホルダー。
【発明の詳細な説明】
【技術分野】
【０００１】
本発明は、連結が強化されるバッジホルダーに関する。
【背景技術】
【０００２】
特許文献１で開示された中空三十二面体は、１つの正六角形のバッジホルダーの周囲に３個の正六角形のバッジホルダーと３個の正五角形のバッジホルダーとを１つおきに交互に配置し、１つの正五角形のバッジホルダーの周囲に５個の正六角形のバッジホルダーを配置するように、２０個の正六角形のバッジホルダーと１２個の正五角形のバッジホルダーとが組み合わされて構成される。図５のａ図に示すように、正五角形のバッジホルダー１は、正五角形な板状の基盤２の５つの側面７が基盤２の正面から背面の方向に行くにしたがって内側に近づく下り勾配となる斜面として構成され、凸状の嵌合部８と凹状の被嵌合部９とが５つの側面７のそれぞれに対応して基盤２の背面に設けられる。正六角形のバッジホルダー２１は、正六角形な板状の基盤２２における６つの側面２７が基盤２２の正面から背面の方向に行くにしたがって内側に近づく下り勾配となる斜面として構成され、凸状の嵌合部２８と凹状の被嵌合部２９とが６つの側面２７のそれぞれに対応して基盤２２の背面に設けられる。しかしながら、図５のｂ図に示すように、３個のバッジホルダー１；２１が互いに連結された場合、両側の２個のバッジホルダー１；２１の側面７；２７としての斜面と中央の１個のバッジホルダー２１の側面２７としての斜面とが互いに接触し、凸状の嵌合部８；２８と凹状の被嵌合部９；２９とが互いに基盤２；２２の背面から後方に直角となる方向に嵌め込まれただけの構造であるので、両側の２個のバッジホルダー１；２１に矢印Ｘ１；Ｘ２で示す外力が横方向から作用すると、中央の１個のバッジホルダーが矢印Ｙで示す前方に押し出されて外れるという欠点がある。
【特許文献１】特開２００６−１５８５９１号公報
【発明の開示】
【発明が解決しようとする課題】
【０００３】
発明が解決しようとする問題点は、複数のバッジホルダー同士の連結が弱いという点である。
【課題を解決するための手段】
【０００４】
本発明に係るバッジホルダーは、正五角形または正六角形な板状の基盤の正面にはバッジ収容室が基盤の正面から内部に正六角形な板状のバッジを収容する窪みとして設けられ、バッジ収容室を正五角形または正六角形に囲む周壁がバッジ収容室に収容される正五角形または正六角形な板状のバッジをバッジの側面から弾性的に支持する支持壁として構成され、基盤の５つまたは６つの側面が当該基盤の正面から背面の方向に行くにしたがって内側に近づく下り勾配となる斜面として構成され、基盤の背面には凸状の嵌合部と凹状の被嵌合部とが基盤の５つまたは６つの側面のそれぞれに対応して基盤の背面から後方に直角に突出するように設けられ、凸状の嵌合部には基盤の背面と平行する方向に突出する突起または基盤の背面と平行する方向に開口する受孔が設けられ、凹状の被嵌合部には上記嵌合部における突起の受け入れ用として基盤の背面と平行する方向に開口する受孔または上記嵌合部における受孔の受け入れ用として基盤の背面と平行する方向に突出する突起が設けられたことを最も主要な特徴とする。
【発明の効果】
【０００５】
本発明に係るバッジホルダーは、例えば、少なくとも３個以上のバッジホルダーが組み合わせられた場合、各バッジホルダーの側面としての斜面同士が互いに接触し、凸状の嵌合部と凹状の被嵌合部とが互いに基盤の背面から後方に直角となる方向に嵌め込まれ、凸状の嵌合部における突起または受孔と凹状の被嵌合部における受孔または突起とが凸状の嵌合部と凹状の被嵌合部との嵌め込み方向に交差する方向で互いに嵌め込まれることによって、両側の２個のバッジホルダーに横方向から外力が作用しても、突起と受孔との嵌め合いが嵌合部と被嵌合部との嵌め合いに対してかんぬきとして作用し、中央の１個のバッジホルダーが前方に押し出されることも外れることもなく、複数のバッジホルダー同士の連結が強いという利点がある。
【発明を実施するための最良の形態】
【０００６】
図１は、バッジホルダー１；２１の連結形態を示す。図２は、正五角形のバッジホルダー１を示す。図３は、正六角形のバッジホルダー２１を示す。図４はバッジホルダー１；２１の組み合わせられた種々の形態を示す。
【０００７】
図２を参照し、正五角形のバッジホルダー１について説明する。図２のａ図において、バッジホルダー１は、全体的に合成樹脂により構成されており、基盤２を備える。バッジホルダー１を矢印Ｓで示す正面から見た場合、基盤２は正五角形な板状である。基盤２の正面には、バッジ収容室３が基盤２の正面から内部に正五角形な板状のバッジ１６を収容する窪みとして設けられる。バッジ収容室３を正五角形に囲む周壁４は、バッジ収容室３に収容されるバッジ１６をバッジ１６の側面から弾性的に支持する支持壁として構成される。つまり、バッジ１６の背面がバッジ収容室３の底部に向けられ、バッジ１６の側面が周壁４の内側に取り込まれるように、バッジ１６がバッジ収容室３に前方から押し込まれる場合、バッジ１６の側面が周壁４を外側に押し出すように突っ張り、その反動として、周壁４が内側に弾性的に復元しようと働いてバッジ１６をバッジ１６の側面から弾性的に支持する。よって、バッジ１６が周壁４で弾性的に支持されるので、バッジ１６のバッジホルダー１への装着が容易に行える。
【０００８】
周壁４には、バッジ取り外し用の凹部５が周壁４の正面およびバッジ収容室３の方向に開口する窪みとして設けられる。よって、バッジ１６がバッジホルダー１に装着された状態において、人がマイナスドライバーなどの工具の先端を凹部５に差し込んでバッジ１６をバッジホルダー１から容易に取り外すことができる。バッジ収容室３の底部には、逃避孔６が基盤２の正面と背面との方向に貫通して設けられる。よって、バッジ１６がバッジホルダー１に装着される場合、バッジ１６の止具１７が逃避孔６に取り込まれるので、バッジ１６の背面における止具１７の周りの部分がバッジ収容室３における逃避孔６の周りの部分に接触し、バッジ１６がバッジ収容室３に適切に収容される。
【０００９】
止具１７がバッジ１６に着脱される構造は、次のようになっている。止具１７に内蔵された図外のばねのばね力によって、止具１７に設けられた操作部１８がバッジ１６の背面から後方に直角に突出したピン１９を挟み、止具１７がバッジ１６に装着される。その状態において、人が図外のばねのばね力に抗して操作部１８のピン１９に対する拘束を解除するように操作したままピン１９から後方に引き抜くと、止具１７がバッジ１６から取り外される。
【００１０】
図２のｂ図およびｃ図にも示すように、基盤２の５つの側面７は、基盤２の正面から背面の方向に行くにしたがって内側に近づく下り勾配となる斜面として構成される。各側面７の横幅Ｗ１は、基盤２の正五角形における１辺の長さに相当し、基盤２の背面と平行する方向の寸法である。各側面７の縦幅Ｈ１は、基盤２の正面と背面との間で基盤２の背面と直交する方向の寸法である。基盤２の背面には、凸状の嵌合部８と凹状の被嵌合部９とが５つの側面７のそれぞれに対応して基盤２の背面から後方に直角に突出して設けられる。５つの嵌合部８は、基盤２の背面と側面７との交差部１０と直交し、かつ、交差部１０から逃避孔６の方向に延びる板状である。各嵌合部８には、突起１１が基盤２の背面と平行する方向に突出して設けられる。突起１１は、図２のｄ図に示すように、側面７を通る直線としての仮想線Ｌ１の上に位置する。
【００１１】
５つの被嵌合部９は、基盤２の背面から後方に直角に突出する一対の突片１２により構成される。被嵌合部９における一対の突片１２の一方には、突起１１の受け入れ用の受孔１３が基盤２の背面と平行する方向に開口して設けられる。被嵌合部９における一対の突片１２の他方には、残渣孔１４が設けられる。残渣孔１４は、バッジホルダー１の成形型における受孔１３を形成するための可動部材を引き抜いた後に残された孔である。受孔１３は、図２のｅ図に示すように、側面７を通る直線としての仮想線Ｌ１の上に位置する。
【００１２】
図３を参照し、正六角形のバッジホルダー２１について説明する。図３のａ図において、バッジホルダー２１は、全体的に合成樹脂により構成されており、基盤２２を備える。バッジホルダー２１を矢印Ｓで示す正面から見た場合、基盤２２は正六角形な板状である。基盤２２の正面には、バッジ収容室２３が基盤２２の正面から内部に正六角形な板状のバッジ３６を収容する窪みとして設けられる。バッジ収容室２３を正六角形に囲む周壁２４は、バッジ収容室２３に収容されるバッジ３６をバッジ３６の側面から弾性的に支持する支持壁として構成される。つまり、バッジ３６の背面がバッジ収容室２３の底部に向けられ、バッジ３６の側面が周壁２４の内側に取り込まれるように、バッジ３６がバッジ収容室２３に前方から押し込まれる場合、バッジ３６の側面が周壁２４を外側に押し出すように突っ張り、その反動として、周壁２４が内側に弾性的に復元しようと働いてバッジ３６をバッジ３６の側面から弾性的に支持する。よって、バッジ３６が周壁２４で弾性的に支持されるので、バッジ３６のバッジホルダー２１への装着が容易に行える。
【００１３】
周壁２４には、バッジ取り外し用の凹部２５が周壁２４の正面およびバッジ収容室２３の方向に開口する窪みとして設けられる。よって、バッジ３６がバッジホルダー２１に装着された状態において、人がマイナスドライバーなどの工具の先端を凹部２５に差し込んでバッジ３６をバッジホルダー２１から容易に取り外すことができる。バッジ収容室２３の底部には、逃避孔２６が基盤２２の正面と背面との方向に貫通して設けられる。よって、バッジ３６がバッジホルダー２１に装着される場合、バッジ３６の止具３７が逃避孔２６に取り込まれるので、バッジ３６の背面における止具３７の周りの部分がバッジ収容室２３における逃避孔２６の周りの部分に接触し、バッジ３６がバッジ収容室２３に適切に収容される。
【００１４】
止具３７がバッジ３６に着脱される構造は、次のようになっている。止具３７に内蔵された図外のばねのばね力によって、止具３７に設けられた操作部３８がバッジ３６の背面から後方に直角に突出したピン３９を挟み、止具３７がバッジ３６に装着される。その状態において、人が図外のばねのばね力に抗して操作部３８のピン３９に対する拘束を解除するように操作したままピン３９から後方に引き抜くと、止具３７がバッジ３６から取り外される。
【００１５】
図３のｂ図およびｃ図にも示すように、基盤２２の６つの側面２７は、基盤２２の正面から背面の方向に行くにしたがって内側に近づく下り勾配となる斜面として構成される。各側面２７の横幅Ｗ２は、基盤２２の正六角形における１辺の長さに相当し、基盤２２の背面と平行する方向の寸法であり、図２のａ図における側面７の横幅Ｗ１と同じ寸法に構成される（Ｗ１＝Ｗ２）。各側面２７の縦幅Ｈ２は、基盤２２の正面と背面との間で基盤２２の背面と直交する方向の寸法であり、図２のａ図における側面７の縦幅Ｈ１と同じ寸法に構成される（Ｈ１＝Ｈ２）。基盤２２の背面には、凸状の嵌合部２８と凹状の被嵌合部２９とが６つの側面２７のそれぞれに対応して基盤２２の背面から後方に直角に突出して設けられる。６つの嵌合部２８は、基盤２２の背面と側面２７との交差部３０と直交し、かつ、交差部３０から逃避孔２６の方向に延びる板状である。各嵌合部２８には、突起３１が基盤２２の背面と平行する方向に突出して設けられる。突起３１は、図３のｄ図に示すように、側面２７を通る直線としての仮想線Ｌ２の上に位置する。
【００１６】
６つの被嵌合部２９は、基盤２２の背面から後方に直角に突出する一対の突片３２により構成される。被嵌合部２９における一対の突片３２の一方には、突起３１の受け入れ用の受孔３３が基盤２２の背面と平行する方向に開口して設けられる。被嵌合部２９における一対の突片３２の他方には、残渣孔３４が設けられる。残渣孔３４は、バッジホルダー２１の成形型における受孔３３を形成するための可動部材を引き抜いた後に残された孔である。受孔３３は、図３のｅ図に示すように、側面２７を通る直線としての仮想線Ｌ２の上に位置する。
【００１７】
図１を参照し、中央における１つの正六角形のバッジホルダー２１（以下、中央のバッジホルダー２１と称する）の左側に別の１つの正六角形のバッジホルダー２１（以下、左側のバッジホルダー２１と称する）を連結し、中央のバッジホルダー２１の右側に１つの五角形のバッジホルダー１（以下、右側のバッジホルダー１と称する）を組み合わせる場合を例として説明する。図１のａ図において、中央のバッジホルダー２１と左側のバッジホルダー２１とが組み合わせられる場合、中央のバッジホルダー２１の正面と左側のバッジホルダー２１の正面とが互いに外側に向けられ、中央のバッジホルダー２１の背面と左側のバッジホルダー２１の背面とが互いに内側に向けられ、中央のバッジホルダー２１と左側のバッジホルダー２１とが互いに左右に並べられ、中央のバッジホルダー２１の左側における１つの側面２７と左側のバッジホルダー２１の右側における１つの側面２７とが互いに平行に向かい合わされる。そして、中央のバッジホルダー２１と左側のバッジホルダー２１とが互いに内側に近づけられ、中央のバッジホルダー２１の左側における嵌合部２８と左側のバッジホルダー２１の右側における被嵌合部２９とが互いに嵌め込まれ、中央のバッジホルダー２１の左側における被嵌合部２９と左側のバッジホルダー２１の右側における嵌合部２８とが互いに嵌め込まれる。これに伴い、図１のｂ図に示すように、中央のバッジホルダー２１の突起３１と左側のバッジホルダー２１の受孔３３とが互いに嵌め込まれ、中央のバッジホルダー２１の受孔３３と左側のバッジホルダー２１の突起３１とが嵌めこまれ、中央のバッジホルダー２１の左側における１つの側面２７と左側のバッジホルダー２１の右側における１つの側面２７とが互いに接触する。
【００１８】
また、図１のａ図において、中央のバッジホルダー２１と右側のバッジホルダー１とが組み合わせられる場合、中央のバッジホルダー２１の正面と右側のバッジホルダー１の正面とが互いに外側に向けられ、中央のバッジホルダー２１の背面と右側のバッジホルダー１の背面とが互いに内側に向けられ、中央のバッジホルダー２１と右側のバッジホルダー１とが互いに左右に並べられ、中央のバッジホルダー２１の右側における１つの側面２７と右側のバッジホルダー１の左側における１つの側面７とが互いに平行に向かい合わされる。そして、中央のバッジホルダー２１と右側のバッジホルダー１とが互いに内側に近づけられ、中央のバッジホルダー２１の右側における嵌合部２８と右側のバッジホルダー１の左側における被嵌合部９とが互いに嵌め込まれ、中央のバッジホルダー２１の右側における被嵌合部２９と右側のバッジホルダー１の左側における嵌合部８とが互いに嵌め込まれる。これに伴い、図１のｂ図に示すように、中央のバッジホルダー２１の突起３１と右側のバッジホルダー１の受孔１３とが互いに嵌め込まれ、中央のバッジホルダー２１の受孔３３と右側のバッジホルダー１の突起１１とが嵌めこまれ、中央のバッジホルダー２１の右側における１つの側面２７と右側のバッジホルダー１の左側における１つの側面７とが互いに接触する。
【００１９】
図１において、右側のバッジホルダー１を中央のバッジホルダー２１の右側に連結される別の１つの正六角形のバッジホルダー２１と読み替えれば、３個のバッジホルダー２１が組み合わせられる場合も容易に理解できるであろう。中央のバッジホルダー２１および左側のバッジホルダー２１を２つのバッジホルダー１と読み替えれば、３個のバッジホルダー１が組み合わせられる場合も容易に理解できるであろう。連結されるバッジホルダー１；２１の個数は、２個または３個以上であってもよい。受孔１３；３３は、点線で示すべきところ、実線で図示した。
【００２０】
図１のｂ図に示すように、少なくとも３個以上のバッジホルダー１；２１が組み合わせられる場合、各バッジホルダー１；２１の側面７；２７としての斜面同士が互いに接触し、凸状の嵌合部８；２８と凹状の被嵌合部９；２９とが互いに基盤２；２２の背面から後方に直角となる方向に嵌め込まれ、嵌合部８；２８における突起１１；３１と被嵌合部９；２９における受孔１３；３３とが嵌合部８；２８と被嵌合部９；２９との嵌め込み方向に交差する方向で互いに嵌め込まれているので、両側の２個のバッジホルダー１；２１に矢印Ｘ１；Ｘ２で示す外力が横方向からしても、突起１１；３１と受孔１３；３３との嵌め合いが嵌合部８；２８と被嵌合部９；２９との嵌め合いに対してかんぬきとして作用し、中央の１個のバッジホルダー２１が前方に押し出されることがなくかつ外れることもなく、複数のバッジホルダー１；２１同士の連結が強いという利点がある。
【００２１】
図４を参照し、バッジホルダー１；２１の組み合わせられた形態について説明する。図４のａ図は、中空三十二面体４１を示し、１つの正五角形のバッジホルダー１の周囲に５個の正六角形のバッジホルダー２１を配置し、１つの正六角形のバッジホルダー２１の周囲に３個の正六角形のバッジホルダー２１と３個の正五角形のバッジホルダー１とを１つおきに交互に配置するように、１２個の正五角形のバッジホルダー１と２０個の正六角形のバッジホルダー２１とが組み合わせられた形態である。図４のｂ図は、正五角形のバッジ１６と正六角形のバッジ３６が中空三十二面体４１に取り付けられた形態を示す。図４のｃ図は、中空十二面体４２を示し、１２個の正五角形のバッジホルダー１が組み合わせられた形態である。図４のｄ図は、３個または３個以上の正六角形のバッジホルダー２１が横一列に組み合わせられた形態である。図４では、ほとんどの凹部５；２５（図２や図３参照）を図示していない。
【産業上の利用可能性】
【００２２】
図２や図３において、バッジ１６；３６としては、ピンバッジを例示したが、それ以外の構造のものでもよい。つまり、バッジ１６；３６の背面に安全ピンを設けた構造、バッジ１６；３６の背面に止具１７；３７やピン１９；３９または安全ピンなどの固着具の設けられていない板状だけの構造でもよい。バッジ１６；３６の背面に止具１７；３７やピン１９；３９または安全ピンなどの固着具の設けられていない板状だけの構造の場合、逃避孔６；２６が設けられていなくてもよい。突起１１に置換される受孔１３が嵌合部８に設けられ、受孔１３に置換される突起１１が被嵌合部９に設けられ、突起３１に置換される受孔３３が嵌合部２８に設けられ、受孔３３に置換される突起３１が被嵌合部９に設けられてもよい。凹部５；２５は設けられてもよい。
【図面の簡単な説明】
【００２３】
【図１】ａ図は多数のバッジホルダーの連結前の背面図、ｂ図は多数のバッジホルダーの連結後の平面図的な模式図（最良の形態）。
【図２】ａ図は正五角形のバッジホルダーおよび正五角形のバッジの斜視図、ｂ図はａ図のＡ−Ａ線断面図、ｃ図は突起および受孔をバッジホルダーの背面と平行な方向に切断した正五角形のバッジホルダーの背面図、ｄ図は１つの突起の周囲の正五角形のバッジホルダーの側面図的な模式図（最良の形態）。
【図３】ａ図は正六角形のバッジホルダーおよび正六角形のバッジの斜視図、ｂ図はａ図のＢ−Ｂ線断面図、ｃ図は突起および受孔をバッジホルダーの背面と平行な方向に切断した正六角形のバッジホルダーの背面図、ｄ図は１つの突起の周囲の正六角形のバッジホルダーの側面図的な模式図（最良の形態）。
【図４】ａ図は中空三十二面体の正面図、ｂ図はバッジの取り付けられた中空三十二面体の正面図、ｃ図は中空十二面体の正面図、ｄ図はバッジホルダーが横一列に組み合わせられた形態の斜視図（最良の形態）。
【図５】ａ図は多数のバッジホルダーの連結前の背面図、ｂ図は多数のバッジホルダーの連結後の平面図的な模式図（従来）。
【符号の説明】
【００２４】
１；２１はバッジホルダー、２；２２は基盤、３；２３はバッジ収容室、４；２４は周壁、５；２５は凹部、６；２６は逃避孔、７；２７は側面、８；２８は嵌合部、９；２９は被嵌合部、１０；３０は交差部、１１；３１は突起、１２；３２は突片、１３；３３は受孔、１４；３４は残渣孔、１５；２０；３５；４０は欠番、１６；３６はバッジ、１７；３７は止具、１８；３８は操作部、１９；３９はピン、４１は中空三十二面体、４２は中空十二面体、Ｗ１；Ｗ２は横幅、Ｈ１；Ｈ２は縦幅、Ｌ１；Ｌ２は仮想線。
【図１】
2009112697.tif 000003
【図２】
2009112697.tif 000004
【図３】
2009112697.tif 000005
【図４】
2009112697.tif 000006
【図５】
2009112697.tif 000007